(57)【要約】【課題】固体発光素子を光源として用いた場合でも白熱電球と同等の配光特性を得ることである。【解決手段】光源ユニット１０は、光源として固体発光素子１４が面配列された光源部１１と、錐体形状に形成された光学素子１２とで構成され、光学素子１２は固体発光素子１４から射出される光の入射面を底面として集光し、光の射出面を頂点部分として光を出射する。これにより、錐体形状の光学素子１２の頂点部分からほぼ点光源として固体発光素子１４からの光を出射でき、その光の射出部分において全方向に均等な放射強度で光を出射できる。【選択図】  図１
2009009870.tif 000002
【特許請求の範囲】
【請求項１】
光源として固体発光素子が面配列された光源部と；
略錐体形状に形成され、前記固体発光素子から射出される光の入射面を底面として集光し、光の射出面を頂点部分として光を出射する光学素子と；
を備えたことを特徴とする光源ユニット。
【請求項２】
請求項１記載の光源ユニットと；
前記光源ユニットの固体発光素子を点灯する点灯回路と；
絶縁部材を介して前記点灯回路を凹部に収納した外郭部材と；
前記光源ユニットを覆って前記光源ユニットの光の射出面がほぼ中心に位置するように前記外郭部材に取付けられ前記光源ユニットの放射光を外部に出射するグローブと；
前記外郭部材に配設され前記点灯回路と電気的に接続された口金と；
を備えたことを特徴とする電球形ランプ。
【発明の詳細な説明】
【技術分野】
【０００１】
本発明は、固体発光素子を光源として用いた光源ユニット及び電球形ランプに関する。
【背景技術】
【０００２】
近年、固体発光素子、例えば発光ダイオード（ＬＥＤ）の発光効率の向上により、一般照明用あるいは装飾用の光源としてＬＥＤを採用する光源ユニット、電球形ランプ、照明器具が商品化されてきている。特に、電球代替えを目的とした電球口金付きで内部に点灯回路を設けた一体型の電球形ＬＥＤランプの開発が行われている（例えば、特許文献１参照）。
【特許文献１】特開２００６−３１３７１７号公報
【発明の開示】
【発明が解決しようとする課題】
【０００３】
しかしながら、ＬＥＤには指向性があるため、ＬＥＤを基板上に配置した光源ユニットの場合には白熱電球の様な均等な配光を得るのが困難である。そのため、既存の照明器具にＬＥＤを光源とする光源ユニットを取り付けた場合、特別な光学制御手段を設けないと適切な配光が得られない。
【０００４】
本発明の目的は、固体発光素子を光源として用いた場合でも白熱電球と同等の配光特性を得ることができる光源ユニット及び電球形ランプを提供することである。
【課題を解決するための手段】
【０００５】
請求項１の発明に係わる光源ユニットは、光源として固体発光素子が面配列された光源部と；略錐体形状に形成され、前記固体発光素子から射出される光の入射面を底面として集光し、光の射出面を頂点部分として光を出射する光学素子と；を備えたことを特徴とする。
【０００６】
本発明および以下の発明において、特に指定しない限り用語の定義および技術的意味は以下による。
【０００７】
固体発光素子は、例えば発光ダイオード、有機ＥＬ(electroluminescence)、無機ＥＬ等である。面配列とは固体発光素子の取付面が平面上部材に取り付けられたことを意味し、固体発光素子の取り付け数は単数及び複数のいずれをも含む。
【０００８】
略錐体形状とは、空間の一点を頂点として頂点から放射状に伸びる直線によって形作られる錐状の立体形状をいい、例えば、円錐形状または多角錐形状の双方を含む。「光の入射面を底面として集光し」とは、円錐形状の底面から固体発光素子から射出される光を入射して、光学素子内でほぼ全反射させることをいう。なお、略錐体形状の光学素子は、その中心軸に沿った断面形状が三角形になっていることが好ましいが、この三角形状の頂点を挟む一対の線は、光学処理のために若干曲線になっていても構わない。
【０００９】
「光の射出面を頂点部分として光を出射する」とは、光学素子内でほぼ全反射させて集光した光を錐体形状の頂点部分からほぼ点光源として全方向に均等な放射強度で出射することをいう。
【００１０】
請求項２の発明に係わる電球形ランプは、請求項１記載の光源ユニットと；前記光源ユニットの固体発光素子を点灯する点灯回路と；絶縁部材を介して前記点灯回路を凹部に収納した外郭部材と；
前記光源ユニットを覆って前記光源ユニットの光の射出面がほぼ中心に位置するように前記外郭部材に取付けられ前記光源ユニットの放射光を外部に出射するグローブと；前記外郭部材に配設され前記点灯回路と電気的に接続された口金と；を備えたことを特徴とする。
【００１１】
本発明は、請求項１の光源ユニットを用いて電球形ランプを構成したものである。
【発明の効果】
【００１２】
請求項１の発明によれば、固体発光素子から射出された光を錐体形状の光学素子の底面にて入射し、錐体形状の光学素子内で全反射させることで略錐体形状の光学素子の頂点部分に集光するので、略錐体形状の頂点部分からほぼ点光源として出射できる。従って、光の射出部分において光学素子側を除く全方向に略均等な放射強度の光を形成できる。
【００１３】
請求項２の発明によれば、請求項１に記載の光源ユニットを使用して電球形ランプを構成するので、白熱電球に近似した配光の電球形ランプを得ることができる。
【発明を実施するための最良の形態】
【００１４】
図１は本発明の実施の形態に係わる光源ユニットの一例の説明図であり、図１（ａ）は正面図、図１（ｂ）は光源ユニットの光学素子の斜視図、図１（ｃ）は光源部の平面図である。
【００１５】
図１（ａ）に示すように、光源ユニット１０は光源部１１と光学素子１２とから構成される。光学素子１２は、図１（ｂ）に示すように錐体形状に形成され、光源部１１は、図１（ａ）及び図１（ｃ）に示すように基板１３に複数個の固体発光素子１４が面配列されて構成される。
【００１６】
基板１３は円板状に形成され、中央部に凹部１５を有し、この凹部１５に１個または複数個の固体発光素子１４が配置されて取り付けられる。図１では基板１３に２個の固体発光素子１４が面配列された場合を示している。固体発光素子１４は、例えば発光ダイオード、有機ＥＬ(electroluminescence)、無機ＥＬ等である。
【００１７】
光学素子１２は、例えば透光性樹脂またはガラス等で錐体形状に形成され、光学素子１２の底面が光源部１１の固体発光素子１４の上部に位置するように、光源部１１に搭載されて配置される。従って、光学素子１２は、固体発光素子１４から射出される光を底面から入射する。そして、入射光を光学素子１２内で全反射させて頂点部分１６に集光し、頂点部分１６から出射する。すなわち、光学素子１２は指向性のある固体発光素子１４の光を底面から入射し、光学素子１２内でほぼ全反射させて頂点部分１６に集光し、頂点部分１６からほぼ点光源として全方向に均等な放射強度で出射する。なお、図１では円錐形状の光学素子を示しているが、多角錐形状のものであってもよい。
【００１８】
図２は本発明の実施の形態に係わる光源ユニット１０の他の一例の説明図であり、図２（ａ）は正面図、図２（ｂ）は光源ユニット１０の光学素子の斜視図、図２（ｃ）は光源部の平面図である。
【００１９】
図２に示した光源ユニット１０は、図１に示した光源ユニット１０に対し、光学素子１２の底部に凹部１５を設け、この凹部１５に光源部１１の固体発光素子１４が位置するようにしたものである。図２では１個の凹部１５を設け、複数個の固体発光素子１４を共通に収納して配置できるようにしているが、１個の固体発光素子１４を収納できる大きさに凹部１５を形成し、固体発光素子１４毎に凹部１５を形成するようにしてもよい。
【００２０】
本発明の実施の形態の光源ユニット１０によれば、固体発光素子１４から射出された光を錐体形状の光学素子１２の底面にて入射し、錐体形状の光学素子１２内で全反射させて錐体形状の光学素子１２の頂点部分１６に集光するので、固体発光素子１４の発光面を光学素子１２の底面から頂点部分１６に移動させることができる。また、その頂点部分１６からほぼ点光源として出射できるので、全方向に均等な放射強度の光を形成できる。
【００２１】
図３は本発明の実施の形態に係わる電球形ランプ１７の一例の説明図であり、図３（ａ）は正面図、図３（ｂ）は断面図である。図３（ａ）に示すように、電球形ランプ１７は、外観形状は通常の電球と同じ形状をしており、口金１８の上部に外郭部材１９が設けられ、外郭部材１９の上部にグローブ２０が取り付けられて構成されている。グローブ２０は、内面にシリカ微粒子からなる光拡散膜が塗布されたガラス製であるが、拡散性を持つフィラーを混合した投光性樹脂、例えばシリコーン樹脂、ＰＭＭＡ、ＰＣ樹脂などからなる透光性樹脂で形成してもよい。
【００２２】
図３（ｂ）に示すように、電球形ランプ１７には図１に示した光源ユニット１０が内蔵される。この場合、光源ユニット１０の光学素子１２の頂点部分１６がグローブ２０のほぼ中心に位置するように配置される。また、電球形ランプ１７には定電流回路等からなる点灯回路２１が内蔵されている。光源ユニット１０の固体発光素子１４からの光はグローブ２０を通して外部に出射される。また、点灯回路２１は、光源ユニット１０の光源である固体発光素子１４を点灯するものであり、外郭部材１９の凹部に絶縁部材２２を介して収納されている。
【００２３】
グローブ２０は光源ユニット１０を覆って外郭部材１９に取付けられ、グローブ２０から光源ユニット１０の光学素子１２で集光された光が外部に出射される。口金１２は外郭部材１９の凹部の開口縁部側に配設され、点灯回路２１に接続されている。
【００２４】
本発明の実施の形態の電球形ランプによれば、固体発光素子１４の発光面を光学素子１２の底面から頂点部分１６に移動させ、頂点部分１６はグローブ２０のほぼ中心に位置するように配置されるので、その頂点部分１６からほぼ点光源として全方向に均等な放射強度で出射できる。従って、低コストでかつ白熱電球に近似の配光を実現できる。また、グローブ２０は拡散性を持つフィラーを混合した投光性樹脂、例えばシリコーン樹脂、ＰＭＭＡ、ＰＣ樹脂などからなる透光性樹脂で形成するので、固体発光素子１４の光出力のロスを抑制しつつ効果的に拡散させることができる。
【図面の簡単な説明】
【００２５】
【図１】本発明の実施の形態に係わる光源ユニットの一例の説明図。
【図２】本発明の実施の形態に係わる光源ユニットの他の一例の説明図。
【図３】本発明の実施の形態に係わる電球形ランプの一例の説明図。
【符号の説明】
【００２６】
１０…光源ユニット、１１…光源部、１２…光学素子、１３…基板、１４…固体発光素子、１５…凹部、１６…頂点部分、１７…電球形ランプ、１８…口金、１９…外郭部材、２０…グローブ、２１…点灯回路、２２…絶縁部材
【図１】
2009009870.tif 000003
【図２】
2009009870.tif 000004
【図３】
2009009870.tif 000005